(57)【要約】戻された測定レポートにタイマ値を含む測定エンティティを有することによってＷＬＡＮ測定レポートのあり得る曖昧さを解決する装置及び方法を提供する。実行すべき要求された測定時間と、測定エンティティによって実際に行われた時間とを、受信器によって比較して、曖昧さが生じないように保証することができる。
2006526323.tif 000002
【特許請求の範囲】
【請求項１】
無線ローカルエリアネットワークの複数の局間で測定レポートを形成する方法であって、
前記複数の局のうちの測定可能な局によって、所定の時間で構成される少なくとも一つのレポートエレメントの測定要求を受信するステップと、
前記少なくとも一つの測定レポートエレメントを、前記測定可能な局によって記録するステップと、
測定レポートエレメントの一つとして前記少なくとも一つの測定レポートエレメントを具える測定レポートを、前記測定可能な局によって形成するステップと、
少なくとも一つの記録された測定レポートエレメントと前記測定レポートのうちの少なくとも一方を、絶対時間基準によってそれぞれタイムスタンピングするステップと、
形成された測定レポートを前記測定可能な局によって送信するステップとを具えることを特徴とする方法。
【請求項２】
前記タイムスタンピングするステップが、前記測定可能な局によって前記絶対時間基準のそれぞれを時間同期機能タイマ値に設定するステップを更に具えることを特徴とする請求項１記載の方法。
【請求項３】
少なくとも一つの測定エレメントが絶対時間基準によってタイムスタンピングされた場合、
測定レポートエレメントの最も早い絶対時間基準を前記測定可能な局によって決定するステップと、
前記測定レポートタイムスタンプを、前記測定可能な局によって前記測定レポートエレメントの決定された最も早い絶対時間基準にセットするステップとを更に具えることを特徴とする請求項１記載の方法。
【請求項４】
前記タイムスタンピングするステップが、前記絶対時間基準のそれぞれを前記測定可能な局によって時間同期機能タイマ値にセットするステップを更に具えることを特徴とする請求項３記載の方法。
【請求項５】
前記形成するステップが、
【表１】
2006526323.tif 000003
と
【表２】
2006526323.tif 000004
のうちの一方としてフォーマット化された複数のフィールドを前記測定レポート内に含めるステップを更に具え、これらのフィールドを、
無線測定カテゴリー又はスペクトル管理カテゴリーを表す値に等しく設定されるカテゴリーフィールド、
測定レポートに含まれることを表す値に等しく設定されるアクションフィールド、
対応する測定要求の値に等しく設定され、又は、測定レポートが測定要求に応答して送信されない場合には零に等しく設定されるダイアローグトークンフィールド、
前記測定レポートで報告された測定レポートエレメントの最初の測定を前記測定可能な局が実行するときの絶対タイマ基準の値を含む付加的なタイムスタンプフィールド、及び
少なくとも１の個数の前記測定レポートエレメントを有し、結合された長さと、
【表３】
2006526323.tif 000005
としてフォーマット化された複数のサブフィールドを有する測定レポートエレメントフィールドとし、
前記サブフィールドを、
要求された測定レポートに割り当てられた識別子に設定されるエレメントＩＤサブフィールド、
最大で３の値を有する可変の長さサブフィールド、
測定要求の対応する測定要求エレメントの測定トークンに等しく設定され、又は、測定可能な局によって前記測定レポートエレメントが自動的に送信される場合に零に等しく設定される測定トークンサブフィールド、
報告された測定を開始するときの絶対タイマの値に設定される付加的なタイムスタンプサブフィールド、
形成された測定要求のタイプに適合するビットフィールドとする測定モードサブフィールド、
測定要求のタイプを識別する識別子に設定する測定タイプサブフィールド、及び
少なくとも一つの測定レポートエレメントを具える測定レポートフィールドとし、
前記測定レポートタイムスタンプと測定エレメントレポートタイムスタンプのうちの少なくとも一方が存在することを特徴とする請求項１記載の方法。
【請求項６】
前記ＷＬＡＮをＩＥＥＥ８０２．１１ＷＬＡＮとし、
前記エレメントＩｄを、ＩＥＥＥ８０２．１１規格によって指定された独自の識別子に設定し、
各タイムスタンプフィールドを、時間同期機能タイマ値とし、
前記測定レポートエレメントの組み合わされた長さが、最大の許容される媒体アクセス制御管理プロトコルデータユニットサイズ以下であることを特徴とする請求項５記載の方法。
【請求項７】
無線ローカルエリアネットワークの複数の局間で、少なくとも一つの測定レポートエレメントを有する自発的な報告レポートを形成する方法であって、
少なくとも一つの予め決定された測定レポートエレメントを、前記複数の局のうちの測定可能な局によって記録するステップと、
前記測定可能な局によって、記録された前記少なくとも一つの測定レポートエレメントに対して、絶対時間基準のタイムスタンピングを付加的に行うステップと、
前記測定可能な局によって、前記少なくとも一つの測定レポートエレメントを具える自発的な測定レポートを形成するステップと、
前記自発的な測定レポートに対して、含まれる測定レポートエレメントのうちの最も速い時間の絶対時間基準のタイムスタンピングを付加的に行うステップと、
前記測定可能な局によって、前記自発的な測定レポートを送信するステップとを具え、
前記自発的な測定レポートのタイムスタンプと前記少なくとも一つの測定レポートエレメントのタイムスタンプのうちの少なくとも一方が、前記自発的な測定レポートに含まれることを特徴とする方法。
【請求項８】
前記タイムスタンピングするステップが、前記絶対タイムスタンプのそれぞれを前記測定可能な局によって時間同期機能タイマ値にセットするステップを更に具えることを特徴とする請求項７記載の方法。
【請求項９】
無線ローカルエリアネットワークの複数の局の間で、要求された測定の時間基準の正確さを保証する方法であって、
第１の局によって、所定の時間で実行すべき少なくとも一つのタイムスタンプされた測定レポートエレメントを送信するステップと、
第２の局によって、測定要求と、要求された少なくとも一つの測定レポートエレメント及び少なくとも一つのタイムスタンプを具える対応する測定レポートの両方を受信し、前記少なくとも一つのタイムスタンプが、測定が記録されたときの絶対時間基準を具えるステップと、
前記第２の局によって、前記測定要求の所定の時間と、前記タイムスタンプの正確さを決定する少なくとも一つのタイムスタンプとを比較するステップとを具えることを特徴とする方法。
【請求項１０】
前記受信するステップが、
【表４】
2006526323.tif 000006
及び
【表５】
2006526323.tif 000007
の一つとしてフォーマット化された複数のフィールドを、前記測定レポート内で受信するステップを更に具え、前記フィールドを、
無線測定カテゴリー又はスペクトル管理カテゴリーを有する値に等しく設定されたカテゴリーフィールド、
測定レポートが含まれていることを表す値に等しく設定されたアクションフィールド、
対応する測定要求の値に等しく設定され、又は、前記測定レポートが、測定要求に応答して送信されない場合には、零に設定されるダイアローグトークンフィールド、
最初に報告される測定を測定可能な局が開始するときのタイマの値を含む付加的なタイムスタンプフィールド、及び
前記測定レポートエレメントの数を含み、前記数を少なくとも１とし、結合された長さ及び
【表６】
2006526323.tif 000008
としてフォーマット化された複数のサブフィールドを有する測定レポートエレメントフィールドとし、前記サブフィールドを、
要求された測定レポートに割り当てられた識別子に設定されるエレメントＩＤサブフィールド、
３の最大値を有する可変の長さサブフィールド、
対応する測定レポートエレメントの測定トークンに等しく設定され、又は、前記測定レポートエレメントが、前記測定可能な局によって自発的に送信される場合、零に等しく設定される測定トークンサブフィールド、
測定レポートフレームで報告された各測定エレメントに対する報告された測定を開始するときの絶対タイマの値に設定される付加的なタイムスタンプサブフィールド、
形成された測定レポートのタイプに適合するビットフィールドである測定モードサブフィールド、
報告された測定のタイプを識別する数に設定する測定タイプサブフィールド、及び
前記報告された測定を含み、前記測定レポートのタイムスタンプと前記測定レポートエレメントのタイムスタンプのうちの少なくとも一方が存在する測定レポートサブフィールドとすることを特徴とする請求項９記載の方法。
【請求項１１】
前記ＷＬＡＮをＩＥＥＥ８０２．１１ＷＬＡＮとし、
前記エレメントＩｄを、ＩＥＥＥ８０２．１１規格によって指定された独自の識別子に設定し、
各タイムスタンプフィールドを、時間同期機能タイマ値とし、
前記測定レポートエレメントの組み合わされた長さが、最大の許容される媒体アクセス制御管理プロトコルデータユニットサイズ以下であることを特徴とする請求項１０記載の方法。
【請求項１２】
前記受信するステップが、各タイムスタンプを有する測定レポートを、時間同期機能タイマ値を用いて受信するステップを更に具えることを特徴とする請求項１０記載の方法。
【請求項１３】
無線ローカルエリアネットワークの複数の局間でリソース測定用に構成された装置であって、
到来信号を受信する受信器と、
受信した前記到来信号のリソースを少なくとも一つの測定レポートエレメントとして測定する測定取得回路と、
絶対時間基準を提供するタイマと、
前記測定取得回路及び前記タイマに結合され、予め決定された絶対時間で始動し、前記到来信号の少なくとも一つの測定レポートエレメントを取得するとともに、（１）タイムスタンプとしての測定レポート内で報告された最初の測定の開始の絶対時間基準と、（２）測定レポートエレメントのタイムスタンプを有する、報告された各測定レポートエレメントの開始の絶対時間基準の一方を、任意に関連させる制御プロセッサとを具えることを特徴とする装置。
【請求項１４】
前記制御プロセッサに結合され、取得した測定レポートエレメントを格納するとともに、関連の測定レポートエレメントタイムスタンプを任意に格納するメモリを更に具え、
前記制御プロセッサを、前記少なくとも一つの絶対タイムスタンプの正確さを決定するために予め決定された絶対時間を少なくとも一つの前記絶対タイムスタンプと比較するように更に構成したことを特徴とする請求項１３記載の装置。
【請求項１５】
【表７】
2006526323.tif 000009
及び
【表８】
2006526323.tif 000010
のうちの一つとしてフォーマット化された複数のフィールドを具える測定レポートを送信する送信器を更に具え、前記フィールドを、
無線測定カテゴリー又はスペクトル管理カテゴリーを含む値に等しく設定されるカテゴリーフィールド、
測定レポートが含まれていることを表す値に等しく設定されたアクションフィールド、
対応する測定要求の値に等しく設定され、又は、前記測定レポートが、測定要求に応答して送信されない場合には、零に設定されるダイアローグトークンフィールド、
最初に報告される測定を測定可能な局が開始するときのタイマの値を含む付加的なタイムスタンプフィールド、及び
前記測定レポートエレメントの数を含み、前記数を少なくとも１とし、結合された長さ及び
【表９】
2006526323.tif 000011
としてフォーマット化された複数のサブフィールドを有する測定レポートエレメントフィールドとし、前記サブフィールドを、
要求された測定レポートに割り当てられた識別子に設定されるエレメントＩＤサブフィールド、
３の最大値を有する可変の長さサブフィールド、
対応する測定レポートエレメントの測定トークンに等しく設定され、又は、前記測定レポートエレメントが、前記測定可能な局によって自発的に送信される場合、零に等しく設定される測定トークンサブフィールド、
測定レポートフレームで報告された各測定エレメントに対する報告された測定を開始するときの絶対タイマの値に設定される付加的なタイムスタンプサブフィールド、
形成された測定レポートのタイプに適合するビットフィールドである測定モードサブフィールド、
報告された測定のタイプを識別する数に設定する測定タイプサブフィールド、及び
前記報告された測定を含み、前記測定レポートのタイムスタンプと前記測定レポートエレメントのタイムスタンプのうちの少なくとも一方が存在する測定レポートサブフィールドとすることを特徴とする請求項１４記載の方法。
【請求項１６】
前記ＷＬＡＮをＩＥＥＥ８０２．１１ＷＬＡＮとし、
エレメントＩＤを、ＩＥＥＥ８０２．１１規格によって指定される独自の識別子に設定し、
各タイムスタンプフィールドを、時間同期機能タイマ値とし、
前記測定レポートエレメントの組み合わされた長さが、最大の許容される媒体アクセス制御管理プロトコルデータユニットサイズ以下であることを特徴とする請求項５記載の方法。
【請求項１７】
測定レポートエレメントとして測定され及び報告される少なくとも一つの測定要求エレメント及び予め設定された測定開始時間を具える測定要求を受信する受信器を更に具えることを特徴とする請求項１５記載の装置。
【請求項１８】
前記測定要求が、前記複数の局のうちの一つの局によって送信されることを特徴とする請求項１７記載の装置。
【請求項１９】
前記測定要求が、前記複数の局のアクセスポイントによって送信されることを特徴とする請求項１７記載の装置。
【発明の詳細な説明】
【技術分野】
【０００１】
本発明は、ローカルエリアネットワーク通信に関し、更に詳しくは、基準時間の正確さを保証する測定レポートのタイムスタンピング装置及び方法に関する。
【背景技術】
【０００２】
一般に、２種類のＷＬＡＮ：インフラストラクチャに基づくもの及びアドホックタイプのものがある。前者のネットワークにおいて、通信は、典型的には、無線ノード間、すなわち、被呼局（ＳＴＡ）と、ＳＴＡでもあるアクセスポイントとの間でのみ行われ、これらは共同して基本サービスセットを形成する。通信は、アドホックタイプのネットワークでインディペンデント基本サービスセット（ＩＢＳＳ）を形成する無線ノード（ＳＴＡ）間で直接行われる。
【０００３】
ＷＬＡＮにおいて、無線測定可能なＳＴＡ間で測定が要求され及び報告される。非サービスチャネル上の測定は、専念された(dedicated)測定であり、測定するＳＴＡに対して、通常の動作を中断し、チャネルを切り替え、かつ、無線測定を取得することを要求する。サービスチャネル上の測定は、同時発生的な測定としてＳＴＡによって実行される。測定可能なＳＴＡが、各測定レポートフレームを復号化するとともに解釈し、かつ、それ自体のパフォーマンスに影響を及ぼすべきである間、一部の測定要求の実行は、任意であり、実行がＳＴＡのパフォーマンスを著しく劣化する場合にはＳＴＡを受信することによって無視することができる。
【０００４】
ＳＴＡは、一つ以上のチャネルそれ自体を測定することができ、又は、ＳＴＡは、一つ以上のチャネルをそれ自体で測定するために同一のＢＳＳ又はＩＢＳＳの他のＳＴＡを要求することができる。一つ以上のチャネルを測定するために他のＳＴＡを要求するとき、ＳＴＡは、少なくとも一つの測定レポートエレメントを特定する測定レポートフレームを用いる。
【０００５】
The Institute of Electrical and Electronics Engineers (IEEE) 802.11-1999規格は、メディアアクセス制御（ＭＡＣ）層及び物理（ＰＨＹ）層に焦点を当てた無線ＬＡＮ（ＷＬＡＮ）のプロトコル規格であり、参照することによって十分説明したものとしてここに組み込む。参照することによって十分説明したものとしてここに組み込んだ、この規格に対するＩＥＥＥ８０２．１１（ｈ）及びＩＥＥＥ８０２．１１（ｋ）の原案の補足(draft supplement)において、測定要求は、要求された測定を開始するときを指定する時間基準を含む。例えば、図１Ａに示すように、測定オフセットパラメータ１００及び起動遅延パラメータ１０１は、共同してＩＥＥＥ  ＴＧｈ及びＴＧｋの時間基準を特定する。移動遅延は、ターゲットビーコン送信時間（ＴＢＴＴ）の数の測定起動遅延であり、測定オフセットは、タイマ単位（ＴＵ）の測定オフセットである。図１Ｂは、許可された測定要求を示す。
【０００６】
チャネル状態に起因して、測定要求を宛先局（ＳＴＡ）に送信する試みが二つ以上行われることがある。受信ＳＴＡにおいて、二つ以上の同一の測定要求が受信されると、ＳＴＡは、最近受信した重複パケットを破棄する。これは、ＩＥＥＥ８０２．１１規格で指定されたプロトコルによる。
【発明の開示】
【０００７】
ＩＥＥＥ８０２．１１プロトコルに従う受信ＳＴＡの重複フレームの廃棄の結果、各々が測定開始時間を参照する互いに相違する基準ビーコンをそれぞれ有するＳＴＡを要求し及び受信する。例えば、測定要求が、１ビーコン周期で送信されることを意図する場合、チャネル状態に起因して、受信ＳＴＡは、ＡＣＫが送信ＳＴＡに戻されない間にフレームを正確に受信し、その後、測定要求が、他のビーコン周期で成功して送信される場合、基準ビーコンは、送信局と受信局とで異なる。
【０００８】
本発明の例は、測定レポートにタイマ値を含むことによってＷＬＡＮ測定レポートの曖昧さ(ambiguity)を解決する方法及び装置を提供する。実行すべき要求された測定時間と、測定が実際に行われる時間とを、リクエスタによって比較して、曖昧さが生じないようにすることができる。ＩＥＥＥ８０２．１１ＷＬＡＮに対する本発明の一例において、時間同期機能（ＴＳＦ）タイマ値が測定レポートに含まれる。
【０００９】
好適例において、測定レポートフレーム及びエレメントは、絶対時間基準を有するフィールドを含むように変形される。ＩＥＥＥ８０２．１１  ＷＬＡＮに対して、絶対時間基準は、要求された測定を開始する時のＴＳＦ時間（又はその一部）の値となる。全ての例において、測定を開始するよう意図（要求）された時間と、プロトコルの曖昧さが発生しないことを保証する実際に開始した時間測定との間の比較が行われる。
【発明を実施するための最良の形態】
【００１０】
以下の説明において、本発明の全体に亘る理解のために、制約ではなく例示により、特定のアーキテクチャ、インタフェース、技術等の特定の詳細を説明する。しかしながら、これら特定の詳細から逸脱した他の無線ネットワークの例で本発明を実施できることは、当業者に明らかである。
【００１１】
図２Ａは、本発明の実施の形態が適用される描写的なインフラストラクチャ基本サービスセット（ＢＳＳ）無線ネットワークである。図２Ａに示すように、アクセスポイント（ＡＰ）２００は、複数の移動局（ＳＴＡｉ）に結合され、これらの移動局は、無線リンク２０２を通じて互いに通信するとともに、複数の無線チャネルを通じてＡＰと通信する。本発明の基本原理は、ＳＴＡｉ２０１によって取得される測定のタイムスタンプレポートに対する機構を提供して、プロトコルの曖昧さが生じた場合にプロトコルの曖昧さを回避することができ、したがって、その後に正確な動作を行うことができることである。図２に示すネットワークは、図示のために小さい。実際には、大抵のネットワークは、更に多くの数の移動ＳＴＡｉ２０１を有する。図２Ｂは、本発明の実施の形態が適用される描写的なアドホックタイプのインディペンデント基本サービスセット（ＩＢＳＳ）無線ネットワークである。図２Ｂに示すように、複数の移動局（ＳＴＡｉ）２０１は、ＡＰなしで無線リンク２０２を通じて互いに通信する。
【００１２】
図３を参照すると、図２Ａ及びＢのＷＬＡＮ内のＡＰ２００及び各ＳＴＡｉ２０１は、図３のブロック図に示したアーキテクチャ内のシステムを有することができる。ＡＰ２００と各ＳＴＡｉ２０１の両方は、受信器３０１と、復調器３０２と、測定回路３０３と、メモリ３０４と、制御プロセッサ３０５と、タイマ３０６と、変調器３０７と、送信器３０８とを有することができる。図３の典型的なシステム３００は、描写のためのみのものである。特定の移動局を説明するのに通常用いられる用語を言及するよう説明するが、概念を、図３に示すのと同様でないアーキテクチャを有する装置を含む他の処理装置に同様に適用することができる。
【００１３】
好適な実施の形態において、受信器３０１及び送信器３０８は、（図示しない）アンテナに結合されて、受信した測定レポートを、復調器３０２を通じて対応するデジタルデータに変換するとともに、所望の測定要求を、変調器３０７を通じて送信する。測定取得回路は、測定及び対応するタイムスタンプを具える受信した測定レポートフレームを処理するために、又は、測定レポートフレームの対応するタイムスタンプに沿って測定を搬送する要求された若しくは周期的な測定を（自動的に）形成するために、プロセッサ３０５の制御下で動作する。図１Ｂは、本発明のＩＢＳＳ及びＢＳＳ  ＩＥＥＥ８０２．１１  ＷＬＡＮの両方に対するあり得るリクエスタ及び測定器の組合せを示す。タイマ３０６は、報告された測定の開始時間を表す測定レポートフレームのタイムスタンプを設定するのに用いられる。
【００１４】
図４は、本発明の好適な実施の形態による測定レポートフレーム４００のフォーマットを示す。本発明のＩＥＥＥ８０２．１１ＷＬＡＮの実施の形態において、測定レポートフレームボディ４００は、アクションフレームボディフォーマットを使用し、測定要求フレームに応答したＳＴＡ２０１によって又は測定情報を自動的に提供するＳＴＡ２０１によって送信される。全ての実施の形態において、カテゴリーフィールド４０１は、無線測定カテゴリー又はスペクトル管理カテゴリーを表す値に等しく設定される。アクションフィールド４０２は、測定レポートが含まれることを表す値に等しく設定される。ダイアローグトークンフィールド４０３は、対応する測定要求フレームの値に等しく設定される。測定レポートフレーム４００が、測定要求フレームに応答して送信されない場合、ダイアローグトークンフィールド４０２は、零に等しく設定される。好適な実施の形態において、（１）測定レポートフレームのタイムスタンプフィールド４０４の少なくとも一つが、最初に報告した測定をＳＴＡが開始したときの絶対時間基準の値を含み、（２）少なくとも一つの測定レポートエレメント４０５，５００がタイムスタンピング（５０４）される。測定レポートエレメントフィールド４０５は、図５に示すような少なくとも一つの測定レポートエレメント５００を有する。測定レポートエレメント５００の数及び測定レポートフレーム４００の測定レポートエレメントフィールド４０５の長さは、許容される最大の媒体アクセス制御（ＭＡＣ）管理プロトコルデータユニット（ＭＭＰＤＵ）サイズによって制約される。
【００１５】
各測定レポートエレメント５００は、ＳＴＡ２０１によって形成される測定の測定レポートを含む。好適な実施の形態の測定レポートエレメント５００のフォーマットを、図５Ｂに示す。エレメントＩＤフィールド５０１は、（例えば、測定レポートに対して３９であるＩＥＥＥ８０２．１１規格により）対応する測定要求によって割り当てられた識別子に設定される。長さフィールド５０２は、可変であり、測定レポートフィールド５０７の長さに依存する。長さフィールドの最大値は３である（例えば、不適格な又は拒絶された測定モードを報告し、零長測定レポートフィールドを用いる。）。測定トークンフィールド５０３を、対応する測定要求の測定トークンに等しく設定する。測定レポートエレメントがＳＴＡによって自動的に送信される場合、測定トークンフィールド５０３は、零に等しく設定される。タイムスタンプフィールド５０４は、測定レポートフレーム４００で報告された各測定エレメントに対する要求された測定を開始するときの絶対タイマの値に設定され、それは、本発明のＩＥＥＥ８０２．１１の実施の形態に対するＴＳＦタイマ値である。タイムスタンプフィールド４０４と５０４の一方又は両方が測定レポートに存在することができる。
【００１６】
測定エレメント５００に実際の時間５０４を含めることによって、測定の信用レベルが増大し、複数のＳＴＡが、互いに近接するが互いに相違する実際の時間５０４で同一の測定を報告するとき、この信用レベルが更に増大される。さらに、測定レポートの送信及び要求を頻繁にすることによって、測定レポートの要求及び形成の際にＳＴＡ２０１の案内を助け、例えば、レポートがＳＴＡ２０１によって１時及び１時５分に受信される場合、ＳＴＡ２０１は、一つ以上の所定のエレメントの信頼性のある測定をそれぞれ取得し及び提供するために１時１０分に測定を要求し又は報告することができる。
【００１７】
本発明の好適な実施の形態を図示し及び説明したが、本発明の範囲を逸脱することなく種々の変更及び変形が可能であり、そのエレメントに対して等価物を置換できることは、当業者に明らかである。さらに、本発明の範囲を逸脱することなく、本発明の特定の状況及び教示に適合するよう幾多の変更が可能である。したがって、本発明は、本発明を実施するよう意図したベストモードとして開示された特定の実施の形態に限定されるものではなく、本発明は、添付した請求の範囲内にある全ての実施の形態を含む。
【図面の簡単な説明】
【００１８】
【図１Ａ】ＷＬＡＮのピアエンティティに対する測定要求の送信を要求するサービスプリミティブのパラメータを示す。
【図１Ｂ】ＷＬＡＮで許容される測定要求を示す。
【図２Ａ】本発明の実施の形態に適用される基本サービスセット（ＢＳＳ）無線通信システムのアーキテクチャを示す簡単化されたブロック図である。
【図２Ｂ】本発明の実施の形態に適用されるホックタイプのインディペンデント基本サービスセット（ＩＢＳＳ）無線通信システムのアーキテクチャを示す簡単化されたブロック図である。
【図３】本発明の実施の形態による特定の基本サービスセット（ＢＳＳ）又はインディペンデント基本サービスセット（ＩＢＳＳ）のアーキテクチャを示す簡単化されたブロック図である。
【図４】本発明の実施の形態による測定レポートフレームフォーマットを示す。
【図５Ａ】本発明の実施の形態による測定レポートエレメントフォーマットを示す。
【図５Ｂ】本発明の実施の形態による図５Ａに示した測定レポートエレメントの測定レポートモードフィールドを示す。
2006526323.tif 000012
2006526323.tif 000013
2006526323.tif 000014
【図３】
2006526323.tif 000015
【図４】
2006526323.tif 000016
2006526323.tif 000017
2006526323.tif 000018
【国際調査報告】
2006526323.tif 000019
2006526323.tif 000020
2006526323.tif 000021